(57)【特許請求の範囲】
【請求項１】
その上に横形材、深さ形材および垂直形材を取付けると共に固定できる三つの固定用延長部を有する各コーナーコネクタによって接続され、前記横形材、深さ形材および垂直形材を備える基本ラックにおいて、
前記コーナーコネクタの前記固定用延長部上に設置された前記横形材、深さ形材および垂直形材の固定のために提供される一つのクランプ手段を備え、
前記クランプ手段は、前記固定用延長部上に設置された前記横形材、深さ形材および垂直形材のクランプ維持のためのクランプ脚を有すると共に、前記クランプ手段は一つの接続要素の助けで前記コーナーコネクタに固定可能である、
装置キャビネット用の基本ラック。
【請求項２】
前記横形材、前記深さ形材および前記垂直形材は、前記固定用延長部上に互いに直角にそれぞれ配置され、各形材は、互いに直交する直交面を有し、
前記クランプ手段は、
垂直及び水平のクランプ脚が一体に直交して配置される一対のクランプ脚から成り、横形材の直交面を圧接する横クランプ脚対と、
垂直及び水平のクランプ脚が一体に直交して配置される一対のクランプ脚から成り、深さ形材の直交面を圧接する深さクランプ脚対と、
２つの垂直のクランプ脚が一体に直交して配置される一対のクランプ脚から成り、垂直形材の直交面を圧接する垂直クランプ脚対 と、を含み、
各クランプ脚対のクランプ脚は、他のクランプ脚対のクランプ脚と直角に連結され、一体に構成される、請求項１に記載の基本ラック。
【請求項３】
前記接続要素を案内するために、前記クランプ手段が前記クランプ脚の交わる部分に形成された一つの穴を有すると共に、前記穴が、固定位置において前記コーナーコネクタ中の穴と位置合わせされている、請求項２に記載の基本ラック。
【請求項４】
前記横形材、深さ形材および垂直形材が中空形材として、および断面において直角三角形として構成され、前記コーナーコネクタは前記直角三角形に相補的な三角形の固定用延長部を有し、前記固定用延長部は前記固定用延長部の直角を形成する側面を有し、取付けられるべき前記横形材、深さ形材および垂直形材が、基本ラックの内部領域に向けられている直角を形成する側面を有する、請求項３に記載の基本ラック。
【請求項５】
前記横形材、深さ形材および垂直形材が、前記固定用延長部上に係合され、前記コーナーコネクタに着脱可能または着脱不能に接続される前記クランプ手段の助けで固定される、請求項４に記載の基本ラック。
【請求項６】
締付けネジが、前記クランプ手段と前記固定用延長部に設置された前記横形材、深さ形材および垂直形材との接続要素として用いられ、前記コーナーコネクタのコーナー部中の前記穴がネジ山を備えている、請求項５に記載の基本ラック。
【請求項７】
前記クランプ手段は前記クランプ脚上に突起を有し、前記固定用延長部には前記クランプ手段の前記突起に対して相補的な構造を有する窪みが設置され、前記固定用延長部上に取付けられた前記横形材、深さ形材および垂直形材は前記コーナーコネクタへの前記クランプ手段の固定により、前記コーナーコネクタに積極的な摩擦係合によって固定できる、請求項６に記載の基本ラック。
【請求項８】
前記コーナーコネクタの前記固定用延長部には係合要素が設けられ、前記横形材、深さ形材および垂直形材は固定位  置において前記係合要素を受取るための窪みを有する、請求項６に記載の基本ラック。
【請求項９】
前記コーナーコネクタの前記固定用延長部には水平に配置される貫通穴が設けられ、前記横形材、深さ形材および垂直形材には係合された固定位置において位置合わせされた穴が設けられ、前記穴は前記貫通穴より小さい直径を有し、前記クランプ脚の突起の係合により突出する各形材の穴周辺部からなる突出材料が前記貫通穴に押し込まれることが可能である請求項６に記載の基本ラック。
【請求項１０】
前記コーナーコネクタの前記固定用延長部は接着剤を受取るための溝を有し、前記横形材、深さ形材および垂直形材は前記固定用延長部に接着剤によって固定することができる、請求項６に記載の基本ラック。
【請求項１１】
前記コーナーコネクタおよび前記クランプ手段はアルミニウム鋳造物として製造され、前記横形材、深さ形材および垂直形材は押出アルミニウムセクションから製造される、請求項１に記載の基本ラック。
【請求項１２】
前記コーナーコネクタおよび前記クランプ手段はアルミニウム鋳造物として製造され、前記横形材、深さ形材および垂直形材は圧延鋼材セクションから製造される、請求項１に記載の基本ラック。
【発明の詳細な説明】
【０００１】
【発明の属する技術分野】
本発明は、その上に横形材、深さ形材および垂直形材を取付けると共に固定できる三つの固定用延長部を有する各コーナーコネクタによって接続され、横形材、深さ形材および垂直形材を備える特に装置キャビネット用の基本ラックに関する。
【０００２】
本発明は、例えば、ＬＡＮ、コンピュータおよびサーバーキャビネットのための電気および電子装置ならびに部品を受取ることを目的とするキャビネット、ケーシングおよびコンテナ、好ましくはキャビネットのために適する。本発明は、三つのビームまたは形材を互いに直角に配列すると共にコーナーコネクタの助けで接続する作業台および特にワークショップベンチのために用いることもできる。
【０００３】
【従来の技術】
ＤＥ第９３０２７６９Ｕ１号には、取付け目的のためのガイド部材と締付け要素の助けで垂直ビーム、水平ビームまたは深さビームを締付けるための貫通穴とを有する装置キャビネットが開示されている。このガイド部材は、コーナーコネクタの接続前面上に構成され、ビームの相補的な前面開口と協働する。取付けられたビームの締付けは、その後に、コーナーコネクタの貫通穴中に案内され、各場合に、対応する構成されたビーム締付け開口に挿入され固定される三つの締付け要素によって生じる。
【０００４】
ＤＥ第１９５２９２７０Ｃ１号において記載された装置キャビネット用の基本ラックも、三つの延長部を有するコーナーコネクタを備える。この延長部は、取付け可能な形材と同じ正方形または円形の断面を有する。破壊せずには解除できない、取付けられた中空形材の機械的締付けのためのみでなく永久的な電気的接続のために、各部材は、手で、あるいは中空形材の工具材料、例えば、打ち抜きトングの助けでそれに押し付けることが必要である少なくとも一つの凹部を有する。
【０００５】
ＤＥ第６９１０１７２７Ｔ２号には、三つの固定用延長部を有するコーナーコネクタによって着脱可能に接続され、横形材、深さ形材および垂直形材を備える基本ラックが開示されている。形材および固定用延長部は三角断面を有する。着脱可能な締付けは、固定用延長部上への形材の押し込みおよびその後のネジ締めによって生じる。係合された形材の押し込みのために、各固定用延長部には、支持可能なネジによって相応してその幅を広げることが可能である横スリットが設置される。
【０００６】
【発明が解決しようとする課題】
先行技術の基本ラックでは、各形材は、コーナーコネクタの関連した固定用延長部に個々に接続され、各場合に少なくとも一つの締付け要素が必要とされ、手で、あるいは道具の助けで実施しなければならない対応する締付けプロセスも必要とされる。
【０００７】
本発明の目的は、安価な製造および極めて効率的な取付けに加えて特に単純な構造を可能にする、装置キャビネット等のための安定な基本ラックを創造することである。
【０００８】
【課題を解決するための手段】
本発明によると、この目的は、コーナーコネクタの固定用延長部上に係合された横形材、深さ形材および垂直形材の固定がクランプ手段の助けで生じるおかげで、三つの固定用延長部を有するコーナーコネクタによって接続され、横形材、深さ形材および垂直形材を備える基本ラックによって達成される。係合された形材のクランプ維持のために、クランプ手段にはクランプ脚が設置され、一つの接続要素の助けでクランプ手段をコーナーコネクタに締付けることができる。
【０００９】
本発明の基本的な着想は、単一の締付け手段の助けで単一の接続プロセスにおいて、コーナーコネクタの三つの固定用延長部上に取付け可能な形材、すなわち、横形材、深さ形材および垂直形材を、同時に固定することである。
【００１０】
本発明によると、固定手段は、コーナー装置の内側部分として配置することができるクランプ手段によって構成され、各場合に、少なくとも二つのクランプ脚によって、取付けられた一つの形材の固定が可能となる。
【００１１】
互いに直角で配列されるクランプ脚であって、固定位置においてクランプ脚の垂直および水平配列のおかげで、取付けられた形材、すなわち、横形材、深さ形材および垂直形材の二つの側面を各場合に取り囲むと共に、クランプ維持中にコーナーコネクタ上の形材を強固に保持するクランプ脚をクランプ手段が有するのが特に有利である。
【００１２】
接続要素は、好ましくは締付けネジによって構成される。この締付けネジは、適切に中心に且つクランプ手段の全部で六つのクランプ脚の交わる交差部分において形成される穴を通して案内され、固定位置において位置合わせされたコーナーコネクタの穴中で固定される。
【００１３】
コーナーコネクタ中の穴は、適切にコーナー部において形成され、ネジ山が設置される。コーナー部は、矩形空間座標ｘ、ｙおよびｚの方向に配列されたコーナーコネクタ固定用延長部の交わる交差部分において形成される。コーナーコネクタのコーナー部中のネジ切り穴と締付け位置において位置合わせされたクランプ手段中の中心穴は、ほぼ対角として対向する。
【００１４】
クランプ手段および特にクランプ脚は、コーナーコネクタの固定用延長部および係合された形材に対して相補的に構成され、互いに直角にそれぞれ配置された形材の少なくとも二つの隣接側面または固定用延長部上で伸びる。形材および固定用延長部は、矩形または正方形の断面を有することが可能である。製造の観点から、例えば、一定長さに切断することにより中空形材または中空区画材から横形材、深さ形材および垂直形材を製造することが有利である。
【００１５】
特に有利な展開において、中空形材は三角断面を有し、等しい長さの二つの側面は直角を形成し、固定位置において基本ラックによって形成される内部領域に向けられる。コーナーコネクタの固定用延長部は、対応して配向された側面について相補的に設置され、クランプ手段は、相補的に構成され配向されたクランプ脚をクランプ維持のために備える。
【００１６】
クランプ手段の使用のおかげで、係合された固定用延長部の基本的に着脱可能または着脱不能な固定が可能であることは有利である。着脱可能な接続は、形材を固定用延長部上で最小の隙間でもって取付け、その後、クランプ手段および中心ネジの助けでコーナーコネクタに固定する場合に得られる。
【００１７】
着脱不能な固定は、固定用延長部上の別のロック要素または係合要素あるいはクランプ手段のクランプ脚上の突起または相補的な窪みによって生じる。クランプ手段がそのクランプ脚との接続要素および取付けられた形材に向けた突起の助けで係合すると共に強くネジ込まれることを通して、突起が形材の材料領域を固定用延長部の窪みに押しつける積極的な摩擦係合が生じる。
【００１８】
締付けの変形において、コーナーコネクタの固定用延長部には、係合要素、例えば、楔様ノーズを設置することができる。横形材、深さ形材および垂直形材中の相補的な開口は、取付けられた位置への係合要素のロックおよびクランプ手段の固定後の特に強いコーナー接続を確実にする。
【００１９】
取付けられた形材に対する別の固定の可能性は、固定用延長部が、例えば、水平に配置される少なくとも一個の穴を設置され、より小さい直径を有する少なくとも一個の穴が、係合しようとする形材の末端固定領域において形成されることで得ることが可能である。相補的な突起がクランプ手段のクランプ脚上に形成される場合、形材の突出材料は、クランプ手段が中心ネジの助けでコーナーコネクタに固定される場合に固定用延長部の貫通穴に押し込まれることが可能である。
【００２０】
横形材、深さ形材および垂直形材のコーナーコネクタの固定用延長部への着脱可能または着脱不能な固定は、接着剤の助けで得ることも可能であり、クランプ手段に固定する時に接着剤を受取るための固定用延長部上の溝、特に長手方向の溝を形成することが適切である。
【００２１】
取付け物の締付けを可能にするためにグリッド様構造、例えば、内蔵レールを好ましくは有する固定用開口を横形材、深さ形材および垂直形材に設置することが可能である。内側に配置された側面に位置合わせされて配置される別の固定用ウェブおよびその中に形成された固定用開口を有する形材を用いることも有利でありうる。さらに、例えば、装置キャビネットのライニング部分または被覆部分の固定のために機能することが可能である、別の特に並行に配置された保持用ウェブを設置することができる。
【００２２】
【発明の実施の形態】
図１は、分解され締付けられていない状態にある、装置キャビネットの基本ラックに関するコーナー接続またはコーナー配置を示している。コーナー接続は、コーナー部６上に形成された三つの固定用延長部７、８、９を有するコーナーコネクタ５と、固定用延長部７、８、９上に取付け可能な形材、すなわち、横形材２、深さ形材３および垂直形材４とを備える。取付けられ固定された状態で、形材２、３、４は、左方背面ラックコーナーまたはアングルを形成する。
【００２３】
コーナーコネクタ５の固定用延長部７、８、９は三角断面を有する。三角中空形材から一定長さに切断された横形材２、深さ形材３および垂直形材４を固定用延長部７、８、９上に僅かな隙間でもって取付けるか、あるいは係合することが可能である。形材２、３、４を取付けた後、固定はクランプ手段１０の助けで行われ、それは図２に関連して記載されている。
【００２４】
中空形材２、３、４およびコーナーコネクタ５の相補的な固定用延長部７、８、９は、断面において直角三角形として構成される。横形材２および深さ形材３の側面３３、３４および垂直形材４の側面３５は直角を形成し、内部領域２０に向いている。コーナーコネクタ５のコーナー部６は、三つの固定用延長部７、８、９に対して相補的に構成され、形材２、３、４ごとに少なくとも一個の停止領域３６を有する。
【００２５】
図１に示した形材２、３、４には、図示していない締付け用開口を設置することが可能である。例えば、横形材および深さ形材２、３の側面３３および垂直形材４の側面３５に垂直且つ位置合わせして配置することができる図示していない別の固定用ウェブを有する形材２、３、４を用いることも可能である。クランプ手段１０の配列（図２参照）に関して、締付け用ウェブは、次に、末端窪みを有するか、あるいはクランプ手段１０に至るまで伸びるだけである。
【００２６】
図２は、分解された透視図においてコーナーコネクタ５およびクランプ手段１０を示している。クランプ手段１０は、差込型部材７、８、９に係合されるか、あるいはその上に載る形材２、３、４の強い締付けのために用いられる。理解しやすくするために、図２は形材２、３、４を示していない。
【００２７】
クランプ手段１０は、固定用延長部７、８、９またはその上に取付けられる形材２、３、４に対して相補的に構成され、取付けられた形材２、３、４のクランプ維持のための、互いに直角に配置されたクランプ脚１３、１４、１５を有する。クランプ脚１３、１４、１５は、互い直角に配列された側面３３、３４、３５（図１参照）および固定用延長部７、８、９の相補的な側面２３、２４、２５の領域において、クランプ維持中に締付けようとする形材２、３、４を覆うように寸法が決められる。
具体的に説明すると、図１，図２から理解されるように、横形材２の直交面３３，３４は、垂直のクランプ脚１３，水平のクランプ脚１４が一体に直交して配置される一対のクランプ脚（横クランプ脚対）で圧接される。深さ形材５の直交面３３，３４は、垂直のクランプ脚１３，水平のクランプ脚１４が一体に直交して配置される一対のクランプ脚（深さクランプ脚対）で圧接される。垂直形材４の直交面３５，３５は、２つの垂直クランプ脚１５が一体に直交して配置される一対のクランプ脚（垂直クランプ脚対）で圧接される。
【００２８】
クランプ手段１０による積極的でない摩擦固定は、固定用延長部７、８の垂直側面２３と水平側面２４および固定用延長部９の垂直側面２５が、各場合に、取付けられた形材２、３、４の材料を受取るために少なくとも一個の窪み２６、例えば、凹部を設置されている場合に生じる。クランプ手段１０を固定すると、形材２、３、４の材料は、クランプ脚１３、１４、１５の内面上の突起１６、例えば、クランプスタッドによって押し付けられる。このとき、突起１６の圧迫力が、形材２、３、４の変形がない場合にもない場合にも、形材２、３、４の着脱方向に干渉する方向に作用するから、窪み２６の受容ないし形材２、３、４の変形の許容も相まって、形材２、３、４の脱落を良く防止することができる。
【００２９】
有利な積極的でない摩擦固定によるクランプ維持は、クランプ手段１０が接続要素、例えば、図示していない中心ネジの助けでコーナーコネクタ５に締付けられる場合に生じる。この目的のために、図示していないクランプ要素を案内するための穴１１がクランプ脚１３、１４、１５の共通部分に形成される。締付け位置において、この穴１１は、コーナー部６におけるコーナーコネクタ５中の、ネジ山を備えた穴２１に位置合わせされている。
【００３０】
図３は、コーナーコネクタ５の別の構造を示している。図示していないクランプ手段１０と協働するために構成される側面２３、２４、２５内に、固定用延長部７、８、９は係合要素１２を備える。係合要素１２は、楔様ノーズとして構成され、相補的に構成された、例えば、図示していない取付け可能な形材２、３、４における矩形窪みと協働する。係合要素１２の楔様構造によって、積極的な摩擦係合を伴ったクランプ領域の形成を伴った場合に形材２、３、４の滑り取付けおよびロックが可能となる。形材の取付けおよびロック後、クランプ維持は、クランプ手段１０（図２参照）および図示していない接続要素により生じ、それは、特に安定なコーナー配列または接続につながる。
【００３１】
固定用延長部７、８、９および固定用延長部７上に係合された横形材２を有するコーナーコネクタ５の平面図において、図４は、図３によるロック締付けを示している。理解しやすくするために、図４は、固定用延長部７の垂直側面２３上の一つの係合要素１２および横形材２の隣接した垂直側面３３中の一つの窪み２２のみを示している。係合要素１２に隣接した凹部である受取り開口２７は、形材２の取付け中に生じるチップのために固定用延長部７中に設置される。
【００３２】
固定用延長部７上に係合された横形材２を示す図５において、形材２、３、４のさらに別の取付けを説明する。固定用延長部７は貫通穴１７を含み、取付けられた横形材２中には、貫通穴１７に位置合わせされているが、より小さい径である穴１８を含む。対応して構成された突起１６（図２参照）を有するクランプ手段１０を固定すると、図５に示したように横形材２の突出材料は貫通穴１７に押し込まれて没入し、こうして安定な締付けを確実にする。
【００３３】
図６は、固定用延長部７、８、９中に溝１９を設置されたコーナーコネクタ５を示している。溝１９は、関連した形材２、３、４の係合およびクランプ手段１０の締付け（図２参照）後に接着剤を受取るために用いられる。
【００３４】
なお、コーナーコネクタ５およびクランプ手段１０は、アルミニウム鋳造物とするのが好適である。また、形材２，３，４には、押出成形によるアルミニウム材を切断して製造したものまたはアルミニウムセクション（ｓｅｃｔｉｏｎ）を用いたり、または圧延鋼材の管を切断して製造したものまたは圧延鋼材セクション（ｓｅｃｔｉｏｎ）を用いるのが好適である。
【００３５】
本発明による基本ラックの重要な利点は、横形材、深さ形材および垂直形材のコーナーコネクタへの取付けやすい効率的な締付けと、コーナー接続ごとの各場合に一つのクランプ手段の助けによる確かで安定な締付けである。
【図面の簡単な説明】
【図１】コーナーコネクタならびに取付け可能な横形材、深さ形材および垂直形材を有する本発明による基本ラックのコーナー接続を示す透視背面図である。
【図２】コーナーコネクタおよびクランプ手段を有するコーナー接続を示す透視内部図である。
【図３】別方式で構成されたコーナーコネクタを示す透視図である。
【図４】横形材が係合され固定されたコーナーコネクタを示す平面図である。
【図５】別の締付け変形において、横形材が係合され固定されたコーナーコネクタを示す平面図である。
【図６】横形材、深さ形材および垂直形材の接着剤固定に関するコーナーコネクタを示す平面図である。
【符号の説明】
２，３，４  形材、５  コーナーコネクタ、６  コーナー部、７，８，９  固定用延長部、１０  クランプ手段、１１  クランプ要素案内用の穴、１２  係合要素、１３，１４，１５  クランプ脚、１６  クランプ手段の突起、１７  固定用延長部の貫通穴、１８  形材の穴、１９  固定用延長部の溝、２０  内部流域、２１  コーナーコネクタ中の穴、２２，２６  窪み、２３，２４，２５  固定用延長部の側面、２７  固定用延長部の側面の開口、３３，３４，３５  形材の側面、３６  停止領域。
【図１】
0003619468.tif 000002
【図２】
0003619468.tif 000003
【図３】
0003619468.tif 000004
【図４】
0003619468.tif 000005
【図５】
0003619468.tif 000006
【図６】
0003619468.tif 000007